(57)【要約】      （修正有）【課題】レセプト、診療記録および介護記録のうちの少なくとも１つの作成を支援できる動画処理装置を提供する。【解決手段】医療介護事務支援装置ＭＣは、動画処理装置の機能を有する。動画処理装置は、事象判定部３２６と、タグ付け処理部３２３と、を備える。事象判定部３２６は、在宅医療動画の撮影中に、サービス受益者がサービス提供者から医療介護サービスを受けている時に発生した事象が、レセプト、診療記録および介護記録のうちの少なくとも一つに記入すべき事項と関係する、予め定められた事象か否かを判定する。タグ付け処理部３２３は、事象判定部３２６が、発生した事象が、予め定められた事象と判定した場合、在宅医療動画において、発生した事象が写された場面を特定するタグを付ける。【選択図】図５
2018185729.tif 000002
【特許請求の範囲】
【請求項１】
サービス提供者と、前記サービス提供者から医療介護サービスを受けているサービス受益者と、が写されている動画を処理する動画処理装置であって、
前記動画の撮影中に、前記サービス受益者が前記サービス提供者から前記医療介護サービスを受けている時に発生した事象が、レセプト、診療記録および介護記録のうちの少なくとも一つに記入すべき事項と関係する、予め定められた事象か否かを判定する判定部と、
前記判定部が、前記発生した事象が、前記予め定められた事象と判定した場合、前記動画において、前記発生した事象が写された場面を特定するタグを付けるタグ付け処理部と、を備える動画処理装置。
【請求項２】
前記判定部は、前記動画の撮影中に、所定の身体情報を測定する測定装置が送信した通信信号を基にして特定された、前記サービス提供者が前記測定装置を使用して前記サービス受益者の前記所定の身体情報を測定した時間を示す時間情報が存在する場合、前記予め定められた事象が発生したと判定し、
前記タグ付け処理部は、前記時間情報を用いて、前記動画において、前記測定装置の使用が写された場面を特定する前記タグを付ける、請求項１に記載の動画処理装置。
【請求項３】
前記動画は、音声付きの動画であり、
前記判定部は、前記音声を解析し、前記サービス受益者と前記サービス提供者との会話に予め定められたフレーズが含まれている場合、前記予め定められた事象が発生したと判定し、
前記タグ付け処理部は、前記動画において、前記フレーズを含む会話が写された場面を特定する前記タグを付ける、請求項１または２に記載の動画処理装置。
【請求項４】
前記判定部は、前記動画を解析し、前記動画中に前記サービス提供者の予め定められた姿勢を検出した場合、前記予め定められた情報が発生したと判定し、
前記タグ付け処理部は、前記動画において、検出された前記姿勢が写された場面を特定する前記タグを付ける、請求項１〜３のいずれか一項に記載の動画処理装置。
【請求項５】
前記タグ付け処理部は、前記タグを表すタグ情報に、前記発生した事象を表す事象情報を含める、請求項１〜４のいずれか一項に記載の動画処理装置。
【請求項６】
前記医療介護サービスは、在宅医療サービス、訪問看護サービス、および、訪問介護サービスの少なくともいずれか１つである、請求項１〜５のいずれか一項に記載の動画処理装置。
【請求項７】
サービス提供者と、前記サービス提供者から医療介護サービスを受けているサービス受益者と、が写されている動画を処理する動画処理方法であって、
前記動画の撮影中に、前記サービス受益者が前記サービス提供者から前記医療介護サービスを受けている時に発生した事象が、レセプト、診療記録および介護記録のうちの少なくとも一つに記入すべき事項と関係する、予め定められた事象か否かを判定する判定ステップと、
前記判定ステップが、前記発生した事象が、前記予め定められた事象と判定した場合、前記動画において、前記発生した事象が写された場面を特定するタグを付けるタグ付け処理ステップと、を備える動画処理方法。
【発明の詳細な説明】
【技術分野】
【０００１】
本発明は、医療介護事務（例えば、レセプト業務）を支援する技術に関する。
【背景技術】
【０００２】
我が国（日本）のような高齢化社会では、病気や怪我や高齢等による看護や介護を必要とする要看護者や要介護者等の増加が今後さらに見込まれる。これら要看護者や要介護者等は、病院や、老人福祉施設等の施設に入所し、その看護や介護を受ける。このような施設では、看護師や介護士等が、定期的に巡視することによってその安否や様子を確認している。この安否確認の点では、一人暮らしの独居者も前記要看護者や要介護者等と同様である。一方、近年では、独りで移動の困難な者や在宅の療養を希望する者等のために、訪問診療や往診等の在宅医療も要請されている。
【０００３】
このような業界では、医療や看護や介護等のサービスを要請する者の増加に較べて、前記サービスを提供する者の増加が追いつかず、慢性的に人手不足になっている。このため、前記サービスや前記サービスに関連して生じる業務の負担を軽減するため、前記サービスや前記業務を補完する技術が求められている。その１つに、特許文献１には、レセプト電算データチェックシステムが提案されている。レセプトとは、病院等の医療機関で医療報酬を請求（保険請求）するために毎月作成される医療報酬の明細書をいい、医療機関は、レセプトを審査機関に提出し、審査機関の審査を通過すると、医療報酬が医療機関に支払われる。レセプトには、医科、歯科の場合に作成される診療報酬明細書、調剤の場合に作成される薬剤報酬明細書、および、訪問看護の場合に作成される訪問看護療養費明細書等の複数種類の明細書がある。
【０００４】
前記特許文献１に開示されたレセプト電算データチェックシステムは、各種診療行為または医薬品がそれぞれ適用される病名に対応付けられてデータベース（１４）として蓄積された記憶部（２）と、レセプトデータ（３）に記憶された診療行為または医薬品が適用される病名を適応病名として記憶部（２）の前記データベース（１４）から取得する取得手段と、該取得手段により取得した適応病名が前記レセプトデータ（３）に含まれているか否かを識別することにより、前記診療行為または医薬品が適切であったか否かを点検する点検手段とを備える。このレセプト電算データチェックシステムでは、適応病名として診療行為または医薬品が標準的に適用される標準病名と、標準病名に近い症状の病名である関連病名とが設けられ、取得手段は、レセプトデータ（３）に記憶された診療行為または医薬品の標準病名および関連病名の全てを適応病名として取得し、点検手段は、取得手段により取得した適応病名の内の何れかが前記レセプトデータ（３）に含まれているか否かを識別し、これによって点検が実施される。
【先行技術文献】
【特許文献】
【０００５】
【特許文献１】特開２００９−８７１０５号公報
【発明の概要】
【発明が解決しようとする課題】
【０００６】
ところで、前記特許文献１に開示されたレセプト電算データチェックシステムでは、実際に実施された診療行為や実際に処方された医薬品は、既に、レセプトデータに記憶されたデータであり、前記特許文献１に開示されたレセプト電算データチェックシステムは、レセプトデータに記憶された診療行為や医薬品が適切であったか否かを点検している。したがって、前記特許文献１に開示されたレセプト電算データチェックシステムは、レセプト作成後の業務を軽減でき、この点、便利である。しかしながら、このレセプト自体を作成するレセプト作成業務、さらに、レセプトを作成するために用いられる記録（データ）を作成する記録作成業務の軽減も要請されている。特に在宅医療では、レセプト作成業務の担当者が現場に同行することはなく、また、記録が必ずしも現場で確実に実施されるとも限らない。このため、誤記入や記入漏れの虞があった。また、診療記録や介護記録も同様の事情にある。  
【０００７】
本発明は、上述の事情に鑑みて為された発明であり、その目的は、レセプト、診療記録および介護記録のうちの少なくとも１つの作成を支援できる動画処理装置、および、動画処理方法を提供することである。
【課題を解決するための手段】
【０００８】
本発明の第１局面における動画処理装置は、サービス提供者と、前記サービス提供者から医療介護サービスを受けているサービス受益者と、が写されている動画を処理する動画処理装置であって、前記動画の撮影中に、前記サービス受益者が前記サービス提供者から前記医療介護サービスを受けている時に発生した事象が、レセプト、診療記録および介護記録のうちの少なくとも一つに記入すべき事項と関係する、予め定められた事象か否かを判定する判定部と、前記判定部が、前記発生した事象が、前記予め定められた事象と判定した場合、前記動画において、前記発生した事象が写された場面を特定するタグを付けるタグ付け処理部と、を備える。
【０００９】
タグ付け処理部は、サービス受益者がサービス提供者から医療介護サービスを受けている時に発生した事象が、上記予め定められた事象の場合、動画において、その事象が写された場面を特定するタグを付ける。これにより、ユーザは、タグ付けされた動画を見ながらレセプトを作成するときに、その動画において、レセプトの作成に必要となる場面に効率的にアクセスすることができる。診療記録、介護記録についても同じことが言える。このようなタグ付けは、ユーザが動画を見ながら、ユーザの判断で実行することもできるが、手間がかかる。本発明の第１局面における動画処理装置によれば、タグ付けを自動的に実行できるので、ユーザの手間を省くことができる。なお、「タグを付ける」とは、動画において、その事象が写された場面の時間（その事象が写された場面の時間軸上の位置）を特定し、保存することでもよいし、その事象が写された場面のフレームを特定し、そのフレームの順番を保存することでもよい。
【００１０】
医療介護サービスは、在宅医療サービス、訪問看護サービス、および、訪問介護サービスの少なくともいずれか１つであることが好ましい。これらのサービスは、病院外、介護施設外で実施されるので、レセプト等に記載すべき事項について、誤記入、記入漏れがよく発生するからである。
【００１１】
上記構成において、前記判定部は、前記動画の撮影中に、所定の身体情報を測定する測定装置が送信した通信信号を基にして特定された、前記サービス提供者が前記測定装置を使用して前記サービス受益者の前記所定の身体情報を測定した時間を示す時間情報が存在する場合、前記予め定められた事象が発生したと判定し、前記タグ付け処理部は、前記時間情報を用いて、前記動画において、前記測定装置の使用が写された場面を特定する前記タグを付ける。
【００１２】
所定の身体情報とは、例えば、体温、血圧、脈拍、呼吸数、経皮的動脈血酸素飽和度 (ＳｐＯ２)である。この構成によれば、上記時間情報を基にして、測定装置の使用が写された場面に自動的にタグを付けることができる。この場面は、動画の画像解析によって特定することが可能である。しかし、上記時間情報を用いるほうが、より、簡単かつ確実に、その場面を特定することができる。
【００１３】
上記構成において、前記動画は、音声付きの動画であり、前記判定部は、前記音声を解析し、前記サービス受益者と前記サービス提供者との会話に予め定められたフレーズが含まれている場合、前記予め定められた事象が発生したと判定し、前記タグ付け処理部は、前記動画において、前記フレーズを含む会話が写された場面を特定する前記タグを付ける。
【００１４】
この構成によれば、動画に付けられた音声を基にして、上記フレーズを含む会話が写された場面に自動的にタグを付けることができる。
【００１５】
上記構成において、前記判定部は、前記動画を解析し、前記動画中に前記サービス提供者の予め定められた姿勢を検出した場合、前記予め定められた情報が発生したと判定し、前記タグ付け処理部は、前記動画において、検出された前記姿勢が写された場面を特定する前記タグを付ける。
【００１６】
この構成によれば、動画を基にして、サービス提供者の予め定められた姿勢（例えば聴診の姿勢）が写された場面に自動的にタグを付けることができる。
【００１７】
上記構成において、前記タグ付け処理部は、前記タグを表すタグ情報に、前記発生した事象を表す事象情報を含める。
【００１８】
事象情報は、例えば、発生した事象を表す文字情報（例えば、関節痛）、発生した事象のＳＯＡＰ分類である。この構成によれば、ユーザは、動画において、タグが付けされた場面の内容を、その動画を見ることなく把握することが可能となる。
【００１９】
本発明の第２局面における動画処理方法は、サービス提供者と、前記サービス提供者から医療介護サービスを受けているサービス受益者と、が写されている動画を処理する動画処理方法であって、前記動画の撮影中に、前記サービス受益者が前記サービス提供者から前記医療介護サービスを受けている時に発生した事象が、レセプト、診療記録および介護記録のうちの少なくとも一つに記入すべき事項と関係する、予め定められた事象か否かを判定する判定ステップと、前記判定ステップが、前記発生した事象が、前記予め定められた事象と判定した場合、前記動画において、前記発生した事象が写された場面を特定するタグを付けるタグ付け処理ステップと、を備える。
【００２０】
本発明の第２局面における動画処理方法は、本発明の第１局面における動画処理装置を方法の観点から規定しており、本発明の第１局面における動画処理装置と同様の作用効果を有する。
【発明の効果】
【００２１】
本発明によれば、レセプト、診療記録および介護記録のうちの少なくとも１つの作成を支援することができる。
【図面の簡単な説明】
【００２２】
【図１】実施形態における医療介護事務支援システムの一例の構成を示す構成図である。
【図２】図１に示す医療介護事務支援システムに備えられるセンサ装置の構成を示すブロック図である。
【図３】測定ファイルの第１例および第２例を説明する説明図である。
【図４】図１に示す医療介護事務支援システムに備えられるサーバ装置の構成を示すブロック図である。
【図５】図１に示す医療介護事務支援システムに備えられる医療介護事務支援装置の構成を示すブロック図である。
【図６】測定装置テーブルの一例を説明する説明図である。
【図７】Ｏｂフレーズテーブルの一例を説明する説明図である。
【図８】ＮＳフレーズテーブルの一例を説明する説明図である。
【図９】姿勢テーブルの一例を説明する説明図である。
【図１０】タグ付けに関する、医療介護事務支援システムの動作について説明するフローチャートである。
【図１１】タグ付け画面の一例を示す模式図である。
【図１２】サービス受益者の在宅医療動画の一例を示す模式図である。
【図１３】図１２に示す在宅医療動画に、測定装置に関するタグが付けられた状態を示す模式図である。
【図１４】音声データが会話の時間帯と沈黙の時間帯とに分けられた状態を示す模式図である。
【図１５】図１２に示す在宅医療動画に、フレーズに関するタグ、および、測定装置に関するタグが付けられた状態を示す模式図である。
【図１６】図１２に示す在宅医療動画に、姿勢に関するタグ、測定装置に関するタグ、および、フレーズに関するタグが付けられた状態を示す模式図である。
【図１７】図１２に示す在宅医療動画へのタグ付け終了後のタグ付け画面の一例を示す模式図である。
【図１８】タグファイルの一例を説明する説明図である。
【発明を実施するための形態】
【００２３】
以下、図面に基づいて本発明の実施形態を詳細に説明する。各図において、同一符号を付した構成は、同一の構成であることを示し、その構成について、既に説明している内容については、その説明を省略する。本明細書において、総称する場合には添え字を省略した参照符号で示し、個別の構成を指す場合には添え字を付した参照符号で示す。
【００２４】
図１は、実施形態における医療介護事務支援システムＭＣＳの一例の構成を示す構成図である。実施形態における医療介護事務支援システムＭＣＳは、例えば、音声付きの動画を生成する、１または複数のセンサ装置ＳＵ（図１に示す例ではｋ個のセンサ装置ＳＵ−１，ＳＵ−２，ＳＵ−３，・・・，ＳＵ−ｋ）と、センサ装置ＳＵとネットワークＮＷを介して通信可能に接続され、医療介護事務を支援する医療介護事務支援装置ＭＣと、を備える。医療介護事務支援システムＭＣＳは、さらに、他の装置とネットワークＮＷを介して通信可能に接続されるサーバ装置ＳＶと、所定の近距離無線通信規格でセンサ装置ＳＵと近距離無線通信可能に接続され、他の装置とネットワークＮＷを介して通信可能に接続される、１または複数の携帯端末装置ＴＡ（図１に示す例では２個の携帯端末装置ＴＡ−１，ＴＡ−２）と、を備える。
【００２５】
ネットワーク（通信回線）ＮＷは、例えば、電話網、データ通信網および移動通信網等を備えて構成され、例えば、ＦＴＰ（Ｆｉｌｅ  Ｔｒａｎｓｆｅｒ  Ｐｒｏｔｏｃｏｌ）、ＨＴＴＰ（Ｈｙｐｅｒ  Ｔｅｘｔ  Ｔｒａｎｓｆｅｒ  Ｐｒｏｔｏｃｏｌ）、ＴＣＰ（Ｔｒａｎｓｍｉｓｓｉｏｎ  Ｃｏｎｔｒｏｌ  Ｐｒｏｔｏｃｏｌ）およびＩＰ（Ｉｎｔｅｒｎｅｔ  Ｐｒｏｔｏｃｏｌ）等のいわゆるインターネットプロトコル群を用いることによってインターネットを構成する。あるいは、ネットワークＮＷは、例えば無線や有線を用いたイーサネット環境のＬＡＮ（Ｌｏｃａｌ  Ａｒｅａ  Ｎｅｔｗｏｒｋ）であっても良い。なお、イーサネットは、登録商標である。
【００２６】
センサ装置ＳＵは、音声付きの動画を生成する装置である。センサ装置ＳＵは、近距離無線通信規格で近距離無線通信し、携帯端末装置ＴＡと近距離無線通信が可能になると前記動画の生成を開始し、近距離無線通信可能であった携帯端末装置ＴＡとの近距離無線通信が不可能になると前記動画の生成を終了し、生成した前記動画を記憶する。センサ装置ＳＵは、記憶した前記動画を所定のタイミングでサーバ装置ＳＶへ送信する。
【００２７】
センサ装置ＳＵは、サービス受益者Ｏｂが所在を予定している空間（例えばサービス受益者Ｏｂが生活をしている部屋（居室））に配置される。サービス受益者Ｏｂとは、医療介護サービス（例えば医療（在宅医療）、看護（訪問看護）、介護（訪問介護））を受けている者を意味する。図１に示す例では、ｋ人のサービス受益者Ｏｂ−１，Ｏｂ−２，Ｏｂ−３，・・・，Ｏｂ−ｋのそれぞれが住む、ｋ個の住戸ＨＳ−１，ＨＳ−２，ＨＳ−３，・・・，ＨＳ−ｋにおいて、サービス受益者Ｏｂ−１，Ｏｂ−２，Ｏｂ−３，・・・，Ｏｂ−ｋが生活している部屋のそれぞれに、ｋ個のセンサ装置ＳＵ−１，ＳＵ−２，ＳＵ−３，・・・，ＳＵ−ｋが配置されている。サービス受益者Ｏｂが施設に住んでいる場合、その施設において、サービス受益者Ｏｂが生活している部屋（居室）にセンサ装置ＳＵが配置される。なお、本明細書において、サービス提供者ＮＳとは、医療介護サービスを提供する者（例えば医師、看護師、介護士）を意味する。
【００２８】
サーバ装置ＳＶは、センサ装置ＳＵから前記動画を受信した場合に受信した前記動画をセンサ装置ＳＵに対応付けて記憶する。サーバ装置ＳＶは、医療介護事務支援装置ＭＣから、センサ装置ＳＵを指定して前記動画の要求を受信した場合に、指定されたセンサ装置ＳＵに対応する前記動画をセンサ装置ＳＵと対応付けて医療介護事務支援装置ＭＣへ返信する。なお、医療介護事務支援装置ＭＣは、サーバ装置ＳＶを介さずに、センサ装置ＳＵから、センサ装置ＳＵと対応付けられ、センサ装置ＳＵで生成された前記動画を取得しても良い。
【００２９】
医療介護事務支援装置ＭＣは、上述のようにサーバ装置ＳＶを介して、センサ装置ＳＵで生成された前記動画を取得し、この動画を用いて医療介護事務を支援する。
【００３０】
医療介護事務支援装置ＭＣは、動画処理装置の機能を有しており、動画の撮影中に発生した事象が予め定められた事象の場合、動画において、その事象が写された場面を特定するタグを自動的に付ける。予め定められた事象とは、動画の撮影中に、サービス受益者Ｏｂがサービス提供者ＮＳから医療介護サービスを受けている時に発生した事象が、レセプト、診療記録および介護記録のうちの少なくとも一つに記入すべき事項と関係する事象である。動画処理装置は、例えば、動画に付けられた音声を解析し、予め定められたフレーズ（例えば「喉が痛い」）を含む会話がある場合、予め定められた事象が発生したと判定する。なお、センサ装置ＳＵが、このような動画処理装置の機能を有していてもよいし、サーバ装置ＳＶが、このような動画処理装置の機能を有していてもよい。
【００３１】
以下では、医療介護サービスのうち、在宅医療サービスを例にして説明する。サービス提供者ＮＳがサービス受益者Ｏｂの住戸ＨＳに訪れ、在宅医療をしたときに、センサ装置ＳＵによって音声付き動画が撮影される。本明細書において、この動画を在宅医療動画と称する。在宅医療動画には、サービス提供者ＮＳと、サービス提供者ＮＳから在宅医療サービスを受けているサービス受益者Ｏｂとが写されている。
【００３２】
センサ装置ＳＵについて詳しく説明する。図２は、図１に示す医療介護事務支援システムＭＣＳに備えられるセンサ装置ＳＵの構成を示すブロック図である。
【００３３】
センサ装置ＳＵは、ネットワークＮＷを介して他の装置ＳＶ，ＭＣ，ＴＡと通信する通信機能等を備え、在宅医療動画（在宅医療動画データ）を生成し、生成した在宅医療動画を、サーバ装置ＳＶへ送信する装置である。センサ装置ＳＵは、例えば、動画生成部１１と、センサ側制御処理部（ＳＵ制御処理部）１２と、センサ側通信インターフェース部（ＳＵ通信ＩＦ部）１３と、センサ側近距離無線通信インターフェース部（ＳＵ近距離無線通信ＩＦ部）１４と、センサ側記憶部（ＳＵ記憶部）１５と、を備える。
【００３４】
動画生成部１１は、ＳＵ制御処理部１２と接続され、ＳＵ制御処理部１２の制御に従って在宅医療動画を生成する装置であり、例えばビデオカメラ等である。動画生成部１１は、サービス受益者Ｏｂおよびサービス提供者ＮＳを撮影可能な位置に配設される。実施形態では、特に在宅医療でのレセプト等の作成を好適に支援できる観点から、動画生成部１１は、サービス受益者Ｏｂが生活をしている部屋（居室）に配置される。
【００３５】
ＳＵ通信ＩＦ部１３は、ＳＵ制御処理部１２に接続され、ＳＵ制御処理部１２の制御に従ってネットワークＮＷを介して他の装置と通信を行うための通信回路であり、例えばデータ通信カード等である。ＳＵ通信ＩＦ部１３は、ＳＵ制御処理部１２から入力された転送すべきデータを収容した通信信号を、医療介護事務支援システムＭＣＳのネットワークＮＷで用いられる通信プロトコルに従って生成し、この生成した通信信号を、ネットワークＮＷを介して他の装置、ここではサーバ装置ＳＶへ送信する。ＳＵ通信ＩＦ部１３は、ネットワークＮＷを介して他の装置、ここではサーバ装置ＳＶから通信信号を受信し、この受信した通信信号からデータを取り出し、この取り出したデータをＳＵ制御処理部１２が処理可能な形式のデータに変換してＳＵ制御処理部１２へ出力する。
【００３６】
ＳＵ近距離無線通信ＩＦ部１４は、近距離無線通信規格で無線通信を行う通信回路である。近距離無線通信規格は、数メートル範囲以内に存在する機器と通信するための規格であり、例えば、Ｂｌｕｅｔｏｏｔｈ（登録商標）規格やＩｒＤＡ（Ｉｎｆｒａｒｅｄ  Ｄａｔａ  Ａｓｓｏｃｉａｔｉｏｎ）規格等である。実施形態では、Ｐｒｏｘｉｍｉｔｙ  Ｐｒｏｆｉｌｅを利用するので、Ｂｌｕｅｔｏｏｔｈ（登録商標）規格を用いたインターフェース回路である。
【００３７】
ＳＵ記憶部１５は、ＳＵ制御処理部１２に接続され、ＳＵ制御処理部１２の制御に従って、各種の所定のプログラムおよび各種の所定のデータを記憶する回路である。前記各種の所定のプログラムには、例えば、動画生成部１１に在宅医療動画を生成させ、生成させた在宅医療動画をＳＵ通信ＩＦ部１３によってネットワークＮＷを介してサーバ装置ＳＶへ送信するＳＵ動画処理プログラムが含まれる。前記各種の所定のデータには、自機であるセンサ装置ＳＵを特定し識別するための識別子であるセンサ装置識別子（センサＩＤ）等が含まれる。ＳＵ記憶部１５は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１５は、前記所定のプログラムの実行中に生じるデータ等を記憶するいわゆるＳＵ制御処理部１２のワーキングメモリとなるＲＡＭ（Ｒａｎｄｏｍ  Ａｃｃｅｓｓ  Ｍｅｍｏｒｙ）等を含む。ＳＵ記憶部１５は、動画生成部１１が生成した在宅医療動画を記憶するセンサ側動画情報記憶部（ＳＵ動画情報記憶部）１５１と、端末情報を記憶するセンサ側端末情報記憶部（ＳＵ端末情報記憶部）１５２と、測定ファイルを記憶するセンサ側測定ファイル記憶部（ＳＵ測定ファイル記憶部）１５３と、を機能的に備える。ＳＵ動画情報記憶部１５１は、在宅医療動画を、少なくともサーバ装置ＳＶへ転送するまで、一時的に記憶する。前記端末情報は、近距離無線通信の可否が判定される所定の携帯端末装置ＴＡに関する情報、および、前記所定の携帯端末装置ＴＡとの近距離無線通信の可否に応じて実行される処理に関する情報である。実施形態では、ＳＵ近距離無線通信ＩＦ部１４には、Ｂｌｕｅｔｏｏｔｈ（登録商標）規格のインターフェース回路が用いられ、近距離無線通信の可否の判定には、Ｐｒｏｘｉｍｉｔｙ  Ｐｒｏｆｉｌｅが用いられるので、前記端末情報は、ペアリングの情報、および、スクリプトの情報等である。前記端末情報は、例えば、医療介護事務支援装置ＭＣや携帯端末装置ＴＡ等を用いてネットワークＮＷを介してＳＵ端末情報記憶部１５２に予め記憶され、設定される。前記測定ファイルは、後で説明する。
【００３８】
ＳＵ制御処理部１２は、センサ装置ＳＵの各部を当該各部の機能に応じてそれぞれ制御する。ＳＵ制御処理部１２は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１２は、センサ側制御部（ＳＵ制御部）１２１と、センサ側動画処理部（ＳＵ動画処理部）１２２と、センサ側端末探知部（ＳＵ端末探知部）１２３と、センサ側時計部（ＳＵ時計部）１２４と、センサ側測定ファイル処理部（ＳＵ測定ファイル処理部）１２５と、を機能的に備える。
【００３９】
ＳＵ制御部１２１は、センサ装置ＳＵの各部を当該各部の機能に応じてそれぞれ制御し、センサ装置ＳＵの全体制御を司るものである。
【００４０】
ＳＵ時計部１２４は、年月日時分を計時するものである。ＳＵ時計部１２４で計時された年月日時分は、後述するように、在宅医療動画のファイルネームの生成に用いられる。
【００４１】
ＳＵ端末探知部１２３は、ＳＵ近距離無線通信ＩＦ部１４で、予め設定された前記所定の携帯端末装置ＴＡと近距離無線通信可能か否かを判定し、その判定結果をＳＵ動画処理部１２２へ通知するものである。
【００４２】
ＳＵ動画処理部１２２は、ＳＵ端末探知部１２３から通知された判定結果に応じて動画生成部１１に在宅医療動画の生成開始およびその生成終了を指示し、動画生成部１１で生成した在宅医療動画をＳＵ動画情報記憶部１５１に記憶する。そして、ＳＵ動画処理部１２２は、予め設定されたタイミングでＳＵ動画情報記憶部１５１に記憶した在宅医療動画をＳＵ通信ＩＦ部１３でサーバ装置ＳＶへ送信する。
【００４３】
より具体的には、実施形態では、近距離無線通信可能か否かの判定およびその判定結果に応じた在宅医療動画の生成開始およびその終了には、例えば、Ｐｒｏｘｉｍｉｔｙ  Ｐｒｏｆｉｌｅが用いられる。このＰｒｏｘｉｍｉｔｙ  Ｐｒｏｆｉｌｅは、Ｂｌｕｅｔｏｏｔｈ（登録商標）で利用されるプロトコルであり、ペアリングされたデバイスとのＢｌｕｅｔｏｏｔｈ接続を監視し、その監視結果に応じてスクリプトで定義された所定の処理を実行するプロファイルである。より詳しくは、ＳＵ端末探知部１２３は、Ｐｒｏｘｉｍｉｔｙ  Ｐｒｏｆｉｌｅを用いてペアリングされた携帯端末装置ＴＡと近距離無線通信可能か否かを判定し、その判定結果をＳＵ動画処理部１２２へ通知する。ＳＵ動画処理部１２２は、スクリプトの定義に従って、携帯端末装置ＴＡと近距離無線通信が可能になったとの判定結果が通知された場合（例えばサービス提供者ＮＳが、サービス受益者Ｏｂが生活している部屋に入った場合）、動画生成部１１に在宅医療動画の生成を開始させ、一方、前記近距離無線通信可能であった携帯端末装置ＴＡとの近距離無線通信が不可能になったとの判定結果が通知された場合（例えばサービス提供者ＮＳが、サービス受益者Ｏｂが生活している部屋から出た場合）、在宅医療動画の生成を終了させ、生成した在宅医療動画を、ファイルネームを付してＳＵ動画情報記憶部１５１に記憶する。在宅医療動画のファイルネームは、適宜に設定されて良いが、例えば、「センサＩＤ＿当該センサ装置ＳＵでの生成順の通し番号＿年月日時分．在宅医療動画ファイルの拡張子」（一例では「ＳＵ１＿００１１＿２０１７０１２４１４２３．ｍｐ４」等）で構成される。このようなファイルネームでは、在宅医療動画データとその生成したセンサ装置ＳＵおよび年月日時それぞれとの対応付けがファイルネームによって実行でき、また、１つの医療介護事務支援システムＭＣＳにおいて、ファイルネームが重複することもない。
【００４４】
ＳＵ測定ファイル処理部１２５は、測定ファイルＭＦ（図３）に関する処理をする。ＳＵ測定ファイル処理部１２５は、サービス提供者ＮＳが測定装置ＭＤを使用してサービス受益者Ｏｂの身体情報を測定したときに、測定ファイルＭＦを作成する。身体情報は、例えば、体温、血圧、脈拍、呼吸数、経皮的動脈血酸素飽和度 (ＳｐＯ２)である。測定装置ＭＤは、近距離無線通信を用いて、センサ装置ＳＵと通信する機能を有し、測定結果（例えば、体温測定装置の場合、体温の値）をセンサ装置ＳＵへ送信する。
【００４５】
実施形態では、測定装置ＭＤの電源がオンされた時間を、サービス提供者ＮＳが測定装置ＭＤを使用してサービス受益者Ｏｂの身体情報を測定した時間とする。測定装置ＭＤの電源がオンされるのは、通常、サービス提供者ＮＳが、測定装置ＭＤを使用してサービス受益者Ｏｂの身体情報を測定する直前であり、測定装置ＭＤは、センサ装置ＳＵと近距離無線通信可能な位置にある。従って、測定装置ＭＤの電源がオンされたとき、ＳＵ端末探知部１２３は、測定装置ＭＤを探知するので、測定装置ＭＤの電源がオンされた時間を取得できる。この時間は、在宅医療動画の撮影中に、測定装置ＭＤが送信した通信信号を基にして特定された、サービス提供者ＮＳが測定装置ＭＤを使用してサービス受益者Ｏｂの身体情報を測定した時間の一例である。ＳＵ端末探知部１２３が測定装置ＭＤを探知する方法は、ＳＵ端末探知部１２３が携帯端末装置ＴＡを探知する方法と同じ方法を用いることができる。
【００４６】
実施形態では、測定装置ＭＤの電源がオンされた時間を用いて、在宅医療動画にタグを付けるので、在宅医療動画の撮影が開始されたときを基準にして、電源がオンされた時間を決定する。在宅医療動画の撮影が開始されたときが、「０」となおる。ここから、例えば、３分５秒経過したときに、測定装置ＭＤの電源がオンされた場合、電源がオンされた時間は、３分５秒となる。なお、測定装置ＭＤが複数ある場合（例えば、体温測定装置、血圧測定装置）、ＳＵ測定ファイル処理部１２５は、それぞれの測定装置ＭＤについて、電源がオンされた時間を取得する。
【００４７】
ＳＵ測定ファイル処理部１２５は、電源がオンされた時間を示す時間情報を取得したとき、この時間情報を一時的に保持する。そして、ＳＵ測定ファイル処理部１２５は、測定装置ＭＤから測定結果を受け取ったとき、測定ファイルＭＦを作成し、ＳＵ測定ファイル記憶部１５３に記憶する。図３は、測定ファイルＭＦの第１例および第２例を説明する説明図である。測定ファイルＭＦ−１が第１例であり、測定ファイルＭＦ−２が第２例である。測定ファイルＭＦは、測定ファイルＭＦと対応付けられている在宅医療動画のファイルネームと、測定装置ＭＤの電源がオンされた時間と、測定装置ＭＤの種類と、測定結果と、を含む。測定ファイルＭＦと対応付けられている在宅医療動画とは、測定装置ＭＤが使用されているときに撮影された在宅医療動画である。
【００４８】
測定ファイルＭＦ−１は、在宅医療動画のファイルネームとして、「ＳＵ１＿００１１＿２０１７０１２４１４２３．ｍｐ４」、電源がオンされた時間として、「００：０３：０５」、測定装置ＭＤの種類として、「体温測定装置」、測定結果として、「３８度」を含む。測定ファイルＭＦ−２は、在宅医療動画のファイルネームとして、「ＳＵ１＿００１１＿２０１７０１２４１４２３．ｍｐ４」、電源がオンされた時間として、「００：０５：３６」、測定装置ＭＤの種類として、「血圧測定装置」、測定結果として、「最高１６５：最低１０５」を含む。測定ファイルＭＦ−１，ＭＦ−２は、在宅医療動画のファイルネームを含むことにより、この在宅医療動画と対応づけられる。
【００４９】
ＳＵ測定ファイル処理部１２５は、ＳＵ動画処理部１２２が在宅医療動画をサーバ装置ＳＶへ送信するとき、この在宅医療動画に対応付けられている測定ファイルＭＦをサーバ装置ＳＶへ送信する。
【００５０】
サーバ装置ＳＶについて詳しく説明する。図４は、図１に示す医療介護事務支援システムＭＣＳに備えられるサーバ装置ＳＶの構成を示すブロック図である。
【００５１】
サーバ装置ＳＶは、ネットワークＮＷを介して他の装置ＳＵ，ＭＣ，ＴＡと通信する通信機能等を備え、センサ装置ＳＶから在宅医療動画および測定ファイルＭＦを受信した場合、受信した在宅医療動画をセンサ装置ＳＵに対応付けて記憶し、受信した測定ファイルを受信した在宅医療動画と対応付けて記憶し、医療介護事務支援装置ＭＣから、センサ装置ＳＶを指定して在宅医療動画の要求を受信した場合に、指定されたセンサ装置ＳＵに対応する在宅医療動画をセンサ装置ＳＵと対応付けて医療介護事務支援装置ＭＣへ返信する装置である。サーバ装置ＳＶは、例えば、図４に示すように、サーバ側通信インターフェース部（ＳＶ通信ＩＦ部）２１と、サーバ側制御処理部（ＳＶ制御処理部）２２と、サーバ側記憶部（ＳＶ記憶部）２３と、を備える。
【００５２】
ＳＶ通信ＩＦ部２１は、ＳＵ通信ＩＦ部１３と同様に、ＳＶ制御処理部２２に接続され、ＳＶ制御処理部２２の制御に従って通信を行うための通信回路であり、例えばデータ通信カード等である。
【００５３】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、受信した在宅医療動画を記憶し、要求に応じて在宅医療動画を送信するＳＶ動画処理プログラム等の制御処理プログラムが含まれる。前記各種の所定のデータには、在宅医療動画、測定ファイルＭＦ、タグファイルＴＧ（図１８）、センサ情報等が含まれる。ＳＶ記憶部２３は、例えばＲＯＭ、ＥＥＰＲＯＭおよびＲＡＭ等を備える。そして、ＳＶ記憶部２３は、在宅医療動画（在宅医療動画データ）を記憶するサーバ側動画情報記憶部（ＳＶ動画情報記憶部）２３１と、タグファイルＴＧを記憶するサーバ側タグファイル記憶部（ＳＶタグファイル記憶部）２３２と、前記センサ情報を記憶するサーバ側センサ情報記憶部（ＳＶセンサ情報記憶部）２３３と、測定ファイルＭＦを記憶するサーバ側測定ファイル記憶部（ＳＶ測定ファイル記憶部）２３４と、を機能的に備える。
【００５４】
ＳＶ動画情報記憶部２３１は、センサ装置ＳＵから受信した在宅医療動画を、センサ装置ＳＵと対応付けて記憶する。実施形態では、上述のように、在宅医療動画のファイルネームにセンサ装置ＳＵのセンサＩＤが組み込まれているので、ＳＶ動画情報記憶部２３１は、在宅医療動画をそのファイルネームと合わせて記憶することで、センサ装置ＳＵから受信した在宅医療動画を、センサ装置ＳＵと対応付けて記憶できる。
【００５５】
タグファイルＴＧ（図１８）は、医療介護事務支援装置ＭＣで後述のように生成され、医療介護事務支援装置ＭＣから受信したデータである。ＳＶタグファイル記憶部２３２は、タグファイルＴＧを、タグを付す対象となった在宅医療動画に対応付けて記憶する。タグファイルＴＧのファイルネームは、適宜に設定されて良いが、実施形態では、例えば、タグを付す対象となった在宅医療動画のファイルネームの拡張子をタグの拡張子（例えばｔａｇ等）に変更することによって作成される。このため、ＳＶタグファイル記憶部２３２は、タグファイルをそのファイルネームと合わせて記憶することで、タグファイルを、タグを付す対象となった在宅医療動画に対応付けて記憶できる。
【００５６】
前記センサ情報は、センサ装置ＳＵに関する情報であり、実施形態では、センサ装置ＳＵのセンサＩＤと、その配設場所と、それによって撮像（撮影）されるサービス受益者Ｏｂの氏名とを互いに対応付けた情報である。ＳＶセンサ情報記憶部２３３は、前記センサ情報を予め記憶するものである。
【００５７】
前記センサ情報によって、センサ装置ＳＵのセンサＩＤと、センサ装置ＳＵによって撮像（撮影）されるサービス受益者Ｏｂとは、互いに対応付けられている。センサＩＤは、センサ装置ＳＵの識別子である。このため、本明細書では、「センサ装置ＳＵに対応付ける」とは、「サービス受益者Ｏｂに対応付ける」と同義であって、さらに、「センサＩＤに対応付ける」と同義である。
【００５８】
ＳＶ測定ファイル記憶部２３４は、センサ装置ＳＵから受信した測定ファイルＭＦ（図３）を記憶する。
【００５９】
ＳＶ制御処理部２２は、サーバ装置ＳＶの各部を当該各部の機能に応じてそれぞれ制御する。ＳＶ制御処理部２２は、例えば、ＣＰＵおよびその周辺回路を備えて構成される。ＳＶ制御処理部２２は、サーバ側制御部（ＳＶ制御部）２２１と、サーバ側動画処理部（ＳＶ動画処理部）２２２と、サーバ側測定ファイル処理部（ＳＶ測定ファイル処理部）２２３と、を機能的に備える。
【００６０】
ＳＶ制御部２２１は、サーバ装置ＳＶの各部を当該各部の機能に応じてそれぞれ制御し、サーバ装置ＳＶの全体制御を司るものである。
【００６１】
ＳＶ動画処理部２２２は、センサ装置ＳＶから在宅医療動画（在宅医療動画データ）を受信した場合に、受信した在宅医療動画をセンサ装置ＳＵ（センサＩＤ、サービス受益者Ｏｂ）に対応付けてＳＶ動画情報記憶部２３１に記憶する。ＳＶ動画処理部２２２は、医療介護事務支援装置ＭＣからタグファイルＴＧを受信した場合に、受信したタグファイルＴＧを、タグを付す対象となった在宅医療動画に対応付けてＳＶタグファイル記憶部２３２に記憶する。ＳＶ動画処理部２２２は、医療介護事務支援装置ＭＣから、センサ装置ＳＶ（センサＩＤ、サービス受益者Ｏｂ）を指定して在宅医療動画の要求を受信した場合に、指定されたセンサ装置ＳＵ（センサＩＤ、サービス受益者Ｏｂ）に対応する在宅医療動画をセンサ装置ＳＵ（センサＩＤ、サービス受益者Ｏｂ）と対応付けて医療介護事務支援装置ＭＣへ返信する。
【００６２】
ＳＶ測定ファイル処理部２２３は、センサ装置ＳＶから測定ファイルＭＦを受信した場合に、測定ファイルＭＦをＳＶ測定ファイル記憶部２３４に記憶する。ＳＶ測定ファイル処理部２２３は、医療介護事務支援装置ＭＣが在宅医療動画にタグを付けるために、ＳＶ動画処理部２２２が在宅医療動画を医療介護事務支援装置ＭＣへ送信する場合、この在宅医療動画に対応付けられた測定ファイルＭＦをＳＶ測定ファイル記憶部２３４から読み出し、医療介護事務支援装置ＭＣへ送信する。
【００６３】
このようなサーバ装置ＳＶは、例えば、通信機能付きのコンピュータによって構成可能である。サーバ装置ＳＶは、例えば、この医療介護事務支援システムＭＣＳを管理する管理者の建屋に配置される。
【００６４】
動画処理装置の機能を有する医療介護事務支援装置ＭＣについて詳しく説明する。図５は、図１に示す医療介護事務支援システムＭＣＳに備えられる医療介護事務支援装置ＭＣの構成を示すブロック図である。医療介護事務支援装置ＭＣは、ネットワークＮＷを介して他の装置ＳＵ，ＳＶ，ＴＡと通信する通信機能等を備え、医療介護事務（例えば、レセプトの作成）を支援する装置である。医療介護事務支援装置ＭＣは、医療介護事務支援側通信インターフェース部（ＭＣ通信ＩＦ部）３１と、医療介護事務支援側制御処理部（ＭＣ制御処理部）３２と、医療介護事務支援側入力部（ＭＣ入力部）３３と、医療介護事務支援側表示部（ＭＣ表示部）３４と、医療介護事務支援側インターフェース部（ＭＣＩＦ部）３５と、医療介護事務支援側記憶部（ＭＣ記憶部）３６と、を備える。
【００６５】
ＭＣ通信ＩＦ部３１は、ＳＵ通信ＩＦ部１３と同様に、ＭＣ制御処理部３２に接続され、ＭＣ制御処理部３２の制御に従って通信を行うための通信回路であり、例えばデータ通信カード等である。
【００６６】
ＭＣ入力部３３は、ＭＣ制御処理部３２に接続され、所定の操作（例えば、在宅医療動画にタグ付けをする操作）を受け付け、医療介護事務支援装置ＭＣに入力する回路であり、例えば、キーボードやマウス等である。
【００６７】
ＭＣ表示部３４は、ＭＣ制御処理部３２に接続され、ＭＣ制御処理部３２の制御に従って、在宅医療動画等を表示する回路であり、例えばＬＣＤ（液晶ディスプレイ）、有機ＥＬディスプレイ等の表示装置である。なお、ＭＣ入力部３３およびＭＣ表示部３４からタッチパネルが構成されても良い。この場合、ＭＣ入力部３３は、例えば抵抗膜方式や静電容量方式等の操作位置を検出して入力する位置入力デバイスである。このタッチパネルでは、ＭＣ表示部３４の表示面上に位置入力デバイスが設けられ、ＭＣ表示部３４に入力可能な１または複数の入力内容の候補が表示され、例えば、レセプトの作成を担当するユーザが、入力したい入力内容を表示した表示位置（表示領域）を触れると、位置入力デバイスによってその位置（領域）が検出され、検出された位置に表示された表示内容がユーザの操作入力内容として医療介護事務支援装置ＭＣに入力される。
【００６８】
ＭＣＩＦ部３５は、ＭＣ制御処理部３２に接続され、ＭＣ制御処理部３２の制御に従って、外部機器との間でデータの入出力を行う回路であり、例えば、Ｂｌｕｅｔｏｏｔｈ規格を用いたインターフェース回路、ＩｒＤＡ規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００６９】
ＭＣ記憶部３６は、ＭＣ制御処理部３２に接続され、ＭＣ制御処理部３２の制御に従って、各種の所定のプログラムおよび各種の所定のデータを記憶する回路である。前記各種の所定のプログラムには、例えば、ＭＣ入力部３３から指定された在宅医療動画をサーバ装置ＳＶに要求し、在宅医療動画をサーバ装置ＳＶから取得してＭＣ記憶部３６に記憶するＭＣ動画処理プログラムや、タグファイルＴＧ（図１８）を作成し、作成したタグファイルＴＧを在宅医療動画に対応付けてＭＣ記憶部３６に記憶するタグ付け処理プログラム等の制御処理プログラムが含まれる。前記各種の所定のデータには、在宅医療動画、測定ファイルＭＦ（図３）、タグファイルＴＧ等が含まれる。ＭＣ記憶部３６は、例えばＲＯＭ、ＥＥＰＲＯＭおよびＲＡＭ等を備える。そして、ＭＣ記憶部３６は、在宅医療動画を記憶する医療介護事務支援側動画情報記憶部（ＭＣ動画情報記憶部）３６１と、タグファイルＴＧを記憶する医療介護事務支援側タグファイル記憶部（ＭＣタグファイル記憶部）３６２と、前記センサ情報を記憶する医療介護事務支援側センサ情報記憶部（ＭＣセンサ情報記憶部）３６３と、測定ファイルＭＦを記憶する医療介護事務支援側測定ファイル記憶部（ＭＣ測定ファイル記憶部）３６４と、測定装置ＭＤに関するテーブルを記憶する測定装置テーブル記憶部３６５と、サービス受益者Ｏｂが話すフレーズに関するテーブルを記憶するＯｂフレーズテーブル記憶部３６６と、サービス提供者ＮＳが話すフレーズに関するテーブルを記憶するＮＳフレーズテーブル記憶部３６７と、サービス提供者ＮＳの姿勢に関するテーブルを記憶する姿勢テーブル記憶部３６８と、を機能的に備える。
【００７０】
ＭＣ動画情報記憶部３６１は、センサ装置ＳＵからサーバ装置ＳＶを介して受信した在宅医療動画を、前記センサ装置ＳＵ（センサＩＤ、サービス受益者Ｏｂ）と対応付けて記憶する。実施形態では、上述のように、在宅医療動画のファイルネームにセンサ装置ＳＵのセンサＩＤが組み込まれているので、ＭＣ動画情報記憶部３６１は、在宅医療動画をそのファイルネームと合わせて記憶することで、在宅医療動画を、センサ装置ＳＵ（センサＩＤ、サービス受益者Ｏｂ）と対応付けて記憶できる。
【００７１】
ＭＣタグファイル記憶部３６２は、タグファイルＴＧを、タグを付す対象となった在宅医療動画に対応付けて記憶する。実施形態では、上述のように、タグファイルＴＧのファイルネームが在宅医療動画のファイルネームの拡張子をタグの拡張子（例えばｔａｇ等）に変更することによって作成されるので、ＭＣタグファイル記憶部３６２は、タグファイルＴＧをそのファイルネームと合わせて記憶することで、タグファイルＴＧを、タグを付す対象となった在宅医療動画に対応付けて記憶できる。
【００７２】
前記センサ情報は、センサ装置ＳＵに関する情報であり、上述したように、センサ装置ＳＵのセンサＩＤと、その配設場所と、それによって撮像されるサービス受益者Ｏｂの氏名とを互いに対応付けた情報である。ＭＣセンサ情報記憶部３６３は、前記センサ情報を予め記憶する。
【００７３】
ＭＣ測定ファイル記憶部３６４は、サーバ装置ＳＶから送信されてきた測定ファイルＭＦを記憶する。
【００７４】
測定装置テーブル記憶部３６５、Ｏｂフレーズテーブル記憶部３６６、ＮＳフレーズテーブル記憶部３６７および姿勢テーブル記憶部３６８は、タグを付ける根拠となる予め定められた事象が発生したか否かの判定に用いられるテーブルを予め記憶している。タグを付ける根拠となる予め定められた事象とは、在宅医療動画の撮影中に、サービス受益者Ｏｂがサービス提供者ＮＳから医療介護サービスを受けている時に発生した事象が、レセプト、診療記録および介護記録のうちの少なくとも一つに記入すべき事項と関係する事象である。例えば、以下の通りである。サービス受益者Ｏｂの身体情報を測定するために、サービス提供者ＮＳが測定装置ＭＤを使用する（例えば、体温測定装置の使用）。サービス受益者Ｏｂとサービス提供者ＮＳとの会話において、サービス受益者Ｏｂの話に予め定められたフレーズが含まれている（例えば「関節が痛い」）。サービス提供者ＮＳについても同じである（例えば「喉が腫れている」）。サービス提供者ＮＳがサービス受益者Ｏｂに医療介護サービスを提供しているときに、サービス提供者ＮＳの姿勢が予め定められた姿勢である（例えば、聴診をしている姿勢）。
【００７５】
測定装置テーブル記憶部３６５は、タグを付ける根拠となる測定装置ＭＤに関するテーブルを記憶している。図６は、このテーブルの一例を説明する説明図である。測定装置テーブルは、測定装置欄と、文字情報欄と、ＳＯＡＰ分類欄と、を含む。ＳＯＡＰは、Ｓｕｂｊｅｃｔ、Ｏｂｊｅｃｔ、Ａｓｓｅｓｓｍｅｎｔ、Ｐｌａｎの頭文字である。測定装置欄には、タグを付ける根拠となる測定装置ＭＤが登録される。文字情報欄には、この測定装置ＭＤに対応付けられた文字情報が登録される。ＳＯＡＰ分類欄には、この測定装置ＭＤに対応付けられたＳＯＡＰ分類が登録される。例えば、測定装置欄には、「体温測定装置」が登録され、文字情報欄には、体温測定装置に対応付けられた「体温測定」が登録され、ＳＯＡＰ分類欄には、体温測定装置に対応付けられた「Ｏ」が登録されている。
【００７６】
Ｏｂフレーズテーブル記憶部３６６は、タグを付ける根拠となる、サービス受益者Ｏｂのフレーズに関するＯｂフレーズテーブルを記憶している。図７は、このテーブルの一例を説明する説明図である。Ｏｂフレーズテーブルは、フレーズ欄と、文字情報欄と、ＳＯＡＰ分類欄と、を含む。フレーズ欄には、タグを付ける根拠となる、サービス受益者Ｏｂが話すフレーズが登録される。文字情報欄には、このフレーズに対応付けられた文字情報が登録される。ＳＯＡＰ分類欄には、このフレーズに対応付けられたＳＯＡＰ分類が登録される。例えば、フレーズ欄には、「関節が痛い」が登録され、文字情報欄には、このフレーズに対応付けられた「関節痛」が登録され、ＳＯＡＰ分類欄には、このフレーズに対応付けられた「Ｓ」が登録されている。
【００７７】
ＮＳフレーズテーブル記憶部３６７は、タグを付ける根拠となる、サービス提供者ＮＳのフレーズに関するＮＳフレーズテーブルを記憶している。図８は、このテーブルの一例を説明する説明図である。ＮＳフレーズテーブルは、フレーズ欄と、文字情報欄と、ＳＯＡＰ分類欄と、を含む。フレーズ欄には、タグを付ける根拠となる、サービス提供者ＮＳが話すフレーズが登録される。文字情報欄には、このフレーズに対応付けられた文字情報が登録される。ＳＯＡＰ分類欄には、このフレーズに対応付けられたＳＯＡＰ分類が登録される。例えば、フレーズ欄には、「喉が腫れています」が登録され、文字情報欄には、このフレーズに対応付けられた「喉腫れ」が登録され、ＳＯＡＰ分類欄には、このフレーズに対応付けられた「Ｏ」が登録されている。
【００７８】
姿勢テーブル記憶部３６８は、タグを付ける根拠となる、サービス提供者ＮＳの姿勢に関する姿勢テーブルを記憶している。図９は、このテーブルの一例を説明する説明図である。姿勢テーブルは、姿勢欄と、文字情報欄と、ＳＯＡＰ分類欄と、を含む。姿勢欄には、タグを付ける根拠となるサービス提供者ＮＳの姿勢が登録される。文字情報欄には、この姿勢に対応付けられた文字情報が登録される。ＳＯＡＰ分類欄には、この姿勢に対応付けられたＳＯＡＰ分類が登録される。例えば、姿勢欄には、「聴診姿勢」が登録され、文字情報欄には、聴診姿勢に対応付けられた「聴診」が登録され、ＳＯＡＰ分類欄には、聴診姿勢に対応付けられた「Ｏ」が登録されている。聴診姿勢は、サービス提供者ＮＳがサービス受益者Ｏｂに対して聴診をしているときに、サービス提供者ＮＳがとる姿勢である。なお、脈とり姿勢は、サービス提供者ＮＳがサービス受益者Ｏｂに対して脈をとっているときに、サービス提供者ＮＳがとる姿勢である。
【００７９】
図５を参照して、ＭＣ制御処理部３２は、医療介護事務支援装置ＭＣの各部を当該各部の機能に応じてそれぞれ制御する。ＭＣ制御処理部３２は、例えば、ＣＰＵおよびその周辺回路を備えて構成される。ＭＣ制御処理部３２は、医療介護事務支援側制御部（ＭＣ制御部）３２１と、医療介護事務支援側動画処理部（ＭＣ動画処理部）３２２と、タグ付け処理部３２３と、再生制御部３２４と、医療介護事務支援側時計計時部（ＭＣ時計計時部）３２５と、事象判定部３２６と、を機能的に備える。
【００８０】
ＭＣ制御部３２１は、医療介護事務支援装置ＭＣの各部を当該各部の機能に応じてそれぞれ制御し、医療介護事務支援装置ＭＣの全体制御を司るものである。
【００８１】
ＭＣ動画処理部３２２は、サーバ装置ＳＶから送信されてきた在宅医療動画をＭＣ動画情報記憶部３６１に記憶する。
【００８２】
タグ付け処理部３２３は、タグ付けの対象となる在宅医療動画にタグ付けする処理をする。
【００８３】
再生制御部３２４は、ＭＣ動画処理部３２２によってサーバ装置ＳＶから取得された在宅医療動画をＭＣ表示部３４で再生する。ユーザが、例えば、レセプトを作成する際に、在宅医療動画が再生される。再生制御部３２４は、在宅医療動画をＭＣ表示部３４で再生する際に、在宅医療動画の先頭からの経過時間を計時させる指示をＭＣ時計計時部３２５へ通知する。再生制御部３２４は、在宅医療動画を再生する場合に、ＭＣタグファイル記憶部３６２に記憶され、再生する在宅医療動画に対応付けられたタグファイルＴＧに基づいて、ＭＣ表示部３４で在宅医療動画を再生する。
【００８４】
ＭＣ時計計時部３２５は、年月日時分を計時し、再生制御部３２４の指示に従って在宅医療動画の先頭からの経過時間を計時する。
【００８５】
事象判定部３２６（判定部）は、在宅医療動画の撮影中に、サービス受益者Ｏｂがサービス提供者ＮＳから在宅医療サービス（医療介護サービスの一つ）を受けている時に発生した事象が、レセプト、診療記録および介護記録のうちの少なくとも一つに記入すべき事項と関係する、予め定められた事象か否かを判定する。
【００８６】
このような医療介護事務支援装置ＭＣは、例えば、通信機能付きのコンピュータによって構成可能である。医療介護事務支援装置ＭＣは、例えば、サービス提供者ＮＳの建屋に配置される。
【００８７】
図１に示す携帯端末装置ＴＡは、ネットワークＮＷを介して他の装置ＳＶ，ＭＣ，ＳＵと通信する通信機能、所定の情報を表示する表示機能、所定の指示やデータを入力する入力機能、および、音声通話を行う通話機能等を備える装置である。携帯端末装置ＴＡは、サービス提供者ＮＳによって持ち運びされる。図１には、サービス提供者ＮＳ−１によって持ち運びされる携帯端末装置ＴＡ−１と、サービス提供者ＮＳ−２によって持ち運びされる携帯端末装置ＴＡ−２とが図示されている。
【００８８】
このような携帯端末装置ＴＡは、例えば、いわゆるタブレット型コンピュータやスマートフォンや携帯電話機等の、持ち運び可能な通信端末装置によって構成可能である。
【００８９】
次に、タグ付けに関する、医療介護事務支援システムＭＣＳ（動画処理装置）の動作について説明する。図１０は、この動作を説明するフローチャートである。ＳＶ動画情報記憶部２３１（図４）に記憶されている在宅医療動画のうち、２０１７年１月２４日に撮影された、サービス受益者Ｏｂ−１の在宅医療動画を例にして説明する。サービス受益者Ｏｂ−１に在宅医療サービスを提供した者は、サービス提供者ＮＳ−１とする。
【００９０】
図５を参照して、ユーザは、ＭＣ入力部３３を操作して、タグ付け画面を表示する命令を入力する。タグ付け処理部３２３は、ＭＣ記憶部３６に予め記憶されているタグ付け画面を読み出し、ＭＣ表示部３４に表示させる（図１０のＳ１）。図１１は、タグ付け画面ＴＰの一例を示す模式図である。タグ付け画面ＴＰは、対象となる在宅医療動画にタグを付けるための画面である。タグ付け画面ＴＰは、再生動画表示領域５１と、再生制御指示入力領域５２と、サービス受益者名入力表示領域５３と、日付入力表示領域５４と、「取得」ボタン５５と、タグ情報表示領域５６と、「確定」ボタン５７と、を備える。
【００９１】
再生動画表示領域５１は、在宅医療動画を再生して表示する領域である。医療介護事務支援装置ＭＣは、在宅医療動画に自動的にタグを付ける。再生動画表示領域５１は、タグ付け前、および、タグ付け後に、在宅医療動画を再生して表示することができる。
【００９２】
再生制御指示入力領域５２は、再生動画表示領域５１に表示される在宅医療動画の再生動作（表示動作）を制御する指示を受け付けるための領域である。再生制御指示入力領域５２は、「再生」ボタン５２１と、「停止」ボタン５２２と、「早送り」ボタン５２３と、「早戻し」ボタン５２４と、を備える。
【００９３】
「再生」ボタン５２１は、再生動画表示領域５１に表示される在宅医療動画に対する再生の指示を受け付けるボタンである。「停止」ボタン５２２は、再生動画表示領域５１に表示される在宅医療動画の再生を停止する指示を受け付けるボタンである。「早送り」ボタン５２３は、再生動画表示領域５１に表示される在宅医療動画の再生速度を速める指示を受け付けるボタンである。早戻しボタン５２４は、再生動画表示領域５１に表示される在宅医療動画の戻し再生速度（逆再生の再生速度）を速める指示を受け付けるボタンである。
【００９４】
サービス受益者名入力表示領域５３は、タグ付けの対象となる在宅医療動画に写されているサービス受益者Ｏｂの氏名の入力を受け付ける領域である。ここでは、サービス受益者Ｏｂ−１の氏名（例えば「Ｍｒ．××××」）が入力される。サービス受益者Ｏｂ−１の氏名は、例えばサービス受益者Ｏｂ−１のカルテから得ることができる。
【００９５】
日付入力表示領域５４は、タグ付けの対象となる在宅医療動画が撮影された年月日の入力を受け付ける領域である。ここでは、「２０１７年１月２４日」が入力される。この年月日は、例えばサービス受益者Ｏｂ−１のカルテから得ることができる。
【００９６】
「取得」ボタン５５は、サービス受益者名入力表示領域５３に入力された氏名、および、日付入力表示領域５４に入力された年月日を指定条件として、この指定条件を満たす在宅医療動画をサーバ装置ＳＶから取得する指示を受け付けるボタンである。ここでは、指定条件を満たす在宅医療動画は、サービス受益者Ｏｂ−１の２０１７年１月２４日に撮影された在宅医療動画である。
【００９７】
タグ情報表示領域５６等は、後で説明する。
【００９８】
図５および図１１を参照して、ユーザは、ＭＣ入力部３３を操作して、「取得」ボタン５５をクリックする。これにより、ＭＣ動画処理部３２２は、ＭＣ通信ＩＦ部３１を用いて、在宅医療動画を要求する通信信号をサーバ装置ＳＶへ送信する。より具体的には、ＭＣ動画処理部３２２は、ＭＣセンサ情報記憶部３６３に記憶されたセンサ情報に基づいて、処理Ｓ１で入力されたサービス受益者Ｏｂ（ここでは、サービス受益者Ｏｂ−１）の氏名に対応するセンサＩＤを求め、この求めたセンサＩＤ、および、処理Ｓ１で入力された年月を含む指定条件、および、この指定条件を満たす在宅医療動画を要求する指示（命令、コマンド）を収容する通信信号（動画要求通信信号）をサーバ装置ＳＶ宛に生成し、この生成した動画要求通信信号をＭＣ通信ＩＦ部３１でネットワークＮＷへ送信する（図１０のＳ２）。
【００９９】
図４を参照して、サーバ装置ＳＶは、動画要求通信信号を受信すると、動画通知通信信号および測定ファイル通知通信信号を医療介護事務支援装置ＭＣへ返信する。より具体的には、ＳＶ動画処理部２２２は、医療介護事務支援装置ＭＣから、センサ装置ＳＶ（センサＩＤ、サービス受益者Ｏｂ）を指定して在宅医療動画の要求を受信した場合に、前記指定条件を満たす在宅医療動画を、センサ装置ＳＵ（センサＩＤ、サービス受益者Ｏｂ）と対応付けて医療介護事務支援装置ＭＣへ返信する。ここでは、サービス受益者Ｏｂ−１の２０１７年１月２４日に撮影された在宅医療動画を含む前記動画通知通信信号が返信される。なお、動画要求通信信号に収容された指定条件を満たす在宅医療動画が複数存在する場合には、サーバ装置ＳＶは、前記指定条件を満たす複数の在宅医療動画を動画通知通信信号で医療介護事務支援装置ＭＣへ返信する。
【０１００】
ＳＶ測定ファイル処理部２２３は、前記指定条件を満たす在宅医療動画に対応付けられた測定ファイルＭＦを含む前記測定ファイル通知通信信号を医療介護事務支援装置ＭＣへ返信する。ここでは、ＳＶ測定ファイル記憶部２３４に記憶されている測定ファイルＭＦ−１，ＭＦ−２（図３）が返信される。
【０１０１】
図５および図１１を参照して、医療介護事務支援装置ＭＣは、前記動画通知通信信号および前記測定ファイル通知通信信号を受信し（図１０のＳ３）、前記動画通知通信信号に含まれる在宅医療動画の記憶およびタグ付け等をする。詳しく説明すると、ＭＣ動画処理部３２２は、ＭＣ通信ＩＦ部３１で受信された前記動画通知通信信号に収容されている在宅医療動画およびそのファイルネームをＭＣ動画情報記憶部３６１に記憶する。ＭＣ制御処理部３２は、その在宅医療動画と対応付けて、ＭＣ通信ＩＦ部３１で受信された前記測定ファイル通知通信信号に含まれている測定ファイルＭＦ−１，ＭＦ−２をＭＣ測定ファイル記憶部３６４に記憶する。測定ファイルＭＦ−１（図３）は、サービス提供者ＮＳ−１が、体温測定装置を使用して、サービス受益者Ｏｂ−１の体温を測定した時間（体温測定装置の電源がオンされた時間）を示す時間情報を含む。測定ファイルＭＦ−２は、サービス提供者ＮＳ−１が、血圧測定装置を使用して、サービス受益者Ｏｂ−１の血圧を測定した時間（血圧測定装置の電源がオンされた時間）を示す時間情報を含む。
【０１０２】
図１２は、ＭＣ動画情報記憶部３６１に記憶された、２０１７年１月２４日に撮像されたサービス受益者Ｏｂ−１の在宅医療動画７０を示す模式図である。在宅医療動画７０は、動画データ７１と音声データ７２とで構成される。在宅医療動画７０の再生時間は、１４分３２秒とする。「００：００：００」が在宅医療動画７０の再生が開始される時点を示し、「００：１４：３２」が、在宅医療動画７０の再生が終了する時点を示す。
【０１０３】
事象判定部３２６およびタグ付け処理部３２３は、測定装置ＭＤに関してタグを付ける処理をする（図１０のＳ４）。以下、詳しく説明する。測定ファイルＭＦに基づいて、測定装置ＭＤに関するタグ付けがされる。事象判定部３２６は、ＭＣ測定ファイル記憶部３６４に、在宅医療動画７０と対応付けられた測定ファイルＭＦが存在するか否かを判定する。この測定ファイルＭＦが、ＭＣ測定ファイル記憶部３６４に記憶されている場合（すなわち測定装置ＭＤが使用された時間を示す時間情報が存在する場合）、サービス提供者ＮＳ−１が測定装置ＭＤを使用してサービス受益者Ｏｂ−１の身体情報を測定していたことになる。よって、事象判定部３２６は、ＭＣ測定ファイル記憶部３６４に、在宅医療動画７０と対応付けられた測定ファイルＭＦが記憶されている判定したとき、予め定められた事象が発生していると判定し、測定ファイルＭＦを読み出す。ここでは、測定ファイルＭＦ−１，ＭＦ−２が読み出される。なお、測定装置ＭＤが使用された時間とは、ＳＵ測定ファイル処理部１２５の説明箇所で説明されているように、在宅医療動画の撮影中に、測定装置ＭＤが送信した通信信号を基にして特定された、サービス提供者ＮＳが測定装置ＭＤを使用してサービス受益者Ｏｂの身体情報を測定した時間である。
【０１０４】
タグ付け処理部３２３は、在宅医療動画において、読み出された測定ファイルＭＦ−１，ＭＦ−２に含まれる時間情報が示す時間（測定装置ＭＤの電源がオンされた時間）と対応する時間の場面にタグを付ける（すなわち測定装置ＭＤの使用が写された場面を特定するタグを付ける）。図１３は、図１２に示す在宅医療動画７０に、測定装置ＭＤに関するタグが付けられた状態を示す模式図である。ここでは、タグ付け処理部３２３は、在宅医療動画７０において、測定ファイルＭＦ−１に含まれる時間情報「００：０３：０５」と対応する時間の場面にタグを付け、測定ファイルＭＦ−２に含まれる時間情報「００：０５：３６」と対応する時間の場面にタグを付ける。これにより、在宅医療動画７０において、体温測定装置の使用が写された場面を特定するタグ、血圧測定装置の使用が写された場面を特定するタグが付けられる。
【０１０５】
図５および図１１を参照して、タグ付け処理部３２３は、これらのタグが付けられた場面の時間、および、これらのタグに対応するタグ情報を、タグ情報表示領域に表示する。詳しく説明すると、タグ情報表示領域は、時間フィールド５６１と、ＳＯＡＰ分類フィールド５６２と、文字情報フィールド５６３と、を備える。時間フィールド５６１は、在宅医療動画において、タグ付けされた場面の時間を表示する。タグ付け処理部３２３は、測定ファイルＭＦ−１，ＭＦ−２を参照して、タグ付けされた場面の時間を時間フィールド５６１に表示する。ここでは、「００：０３：０５」と「００：０５：３６」とが表示される（不図示）。
【０１０６】
ＳＯＡＰ分類フィールド５６２は、タグ付けされた場面に写されている事象のＳＯＡＰ分類を表示する。文字情報フィールド５６３は、この事象を示す文字情報を表示する。ＳＯＡＰ分類および文字情報は、予め定められた事象を表す事象情報の具体例である。タグ付け処理部３２３は、測定ファイルＭＦ−１，ＭＦ−２および図６に示すテーブルを参照して、タグ付けされた場面に写されている事象のＳＯＡＰ分類をＳＯＡＰ分類フィールド５６２に表示し、この事象を示す文字情報を文字情報フィールド５６３に表示する。ここでは、時間フィールド５６１に表示された「００：０３：０５」の隣りに、「Ｏ」、「体温測定」が表示され、時間フィールド５６１に表示された「００：０５：３６」の隣りに、「Ｏ」、「血圧測定」が表示される（不図示）。
【０１０７】
タグ付けされた場面の数が多いと、タグ情報表示領域５６にすべての情報を表示できない。この場合、タグ情報表示領域５６は、さらに、垂直スクロールバー（不図示）と、垂直スクロールバーを上へ移動する指示の入力を受け付ける上スクロールボタン（不図示）と、垂直スクロールバーを下へ移動する指示の入力を受け付ける下スクロールボタン（不図示）と、を備える。
【０１０８】
図５を参照して、事象判定部３２６およびタグ付け処理部３２３は、フレーズに関してタグを付ける処理をする（図１０のＳ５）。以下、詳しく説明する。事象判定部３２６は、音声認識機能を有しており、この機能を用いて、在宅医療動画７０（図１２）の音声データ７２を解析し、音声データ７２をテキストに変換する。事象判定部３２６には、サービス受益者Ｏｂ−１およびサービス提供者ＮＳ−１の音声が予め登録されている。事象判定部３２６は、これを基にして、音声データ７２をサービス受益者Ｏｂ−１の音声データとサービス提供者ＮＳ−１の音声データとに分離して、それぞれの音声データをテキストに変換する。事象判定部３２６にサービス提供者ＮＳ−１を含むサービス提供者ＮＳの音声が予め登録され、サービス提供者ＮＳ以外の音声データをサービス受益者Ｏｂ−１の音声データとしてもよい。
【０１０９】
事象判定部３２６は、音声データ７２を、サービス受益者Ｏｂ−１とサービス提供者ＮＳ−１との会話の時間帯と、沈黙の時間帯と、に分ける。図１４は、音声データ７２が会話の時間帯と沈黙の時間帯とに分けられた状態を示す模式図である。サービス受益者Ｏｂ−１およびサービス提供者ＮＳ−１のうち一方が話し始めることにより、会話が開始する。会話が開始してから両者のいずれもが話をしていない時間が所定の長さ継続したとき（例えば３秒間）、この時点で会話が終了するとする。会話が開始してから上記時点までが会話の時間帯とする。この会話が終了したときから次の会話が開始するときまでの時間帯が沈黙の時間帯とする。例えば、時間「００：０１：１２」から会話が始まり、時間「００：０１：２５」から時間「００：０１：２８」まで会話がないとき、時間「００：０１：１２」から時間「００：０１：２８」までが会話の時間帯である（会話時間帯１）。時間「００：０１：３３」に次の会話が始まったとき、時間「００：０１：２８」から時間「００：０１：３３」までの時間帯が沈黙の時間帯である。
【０１１０】
事象判定部３２６は、音声データ７２を会話の時間帯と沈黙の時間帯とに分け、会話の時間帯が五つの場合を例にして説明する。時間「００：０１：１２」から開始する会話の時間帯を会話時間帯１とし、時間「００：０１：３３」から開始する会話の時間帯を会話時間帯２とし、時間「００：０２：４２」から開始する会話の時間帯を会話時間帯３とし、時間「００：１１：４７」から開始する会話の時間帯を会話時間帯４とする。
【０１１１】
事象判定部３２６は、会話時間帯毎に、音声をサービス受益者Ｏｂ−１の音声とサービス提供者ＮＳ−１の音声とに分離し、それぞれの音声をテキストに変換する。会話時間帯１のテキストは、「どうなされました？」（サービス提供者ＮＳ−１）、「１週間前位から関節が痛みます。」（サービス受益者Ｏｂ−１）であり、会話時間帯２のテキストは、「それに、喉が痛く、咳が出ます。」（サービス受益者Ｏｂ−１）であり、会話時間帯３のテキストは、「喉が腫れています。」（サービス提供者ＮＳ−１）であり、会話時間帯４のテキストは、「お薬を出しておきます。○○という薬です。」（サービス提供者ＮＳ−１）とする。「○○」は、薬の名前である（例えば抗ウィルス薬）。
【０１１２】
事象判定部３２６は、図７および図８に示すテーブルを参照して、タグ付けの根拠となるフレーズが、会話時間帯１のテキストに含まれているか否かを判定する。事象判定部３２６は、会話時間帯１のテキストにおいて、サービス受益者Ｏｂ−１のテキストに、フレーズ「関節が痛みます」が含まれるので、予め定められた事象が発生していると判定する。タグ付け処理部３２３は、在宅医療動画７０において、このフレーズを含む会話が写された場面を特定するタグを付ける。ここでは、会話時間帯１が開始された時間の場面にタグが付けられる。タグ付け処理部３２３は、タグ付けの根拠となるフレーズが、会話時間帯１のテキストに含まれていない場合、タグ付けをしない。事象判定部３２６およびタグ付け処理部３２３は、会話時間帯２〜４にいついても、会話時間帯１と同様の処理をする。
【０１１３】
図１５は、図１２に示す在宅医療動画７０に、フレーズに関するタグ、および、上述した測定装置ＭＤに関するタグが付けられた状態を示す模式図である。在宅医療動画７０の「００：０１：１２」の時間の場面に付けられたタグは、会話時間帯１を特定している。在宅医療動画７０の「００：０１：３３」の時間の場面に付けられたタグは、会話時間帯２を特定している。在宅医療動画７０の「００：０２：４２」の時間の場面に付けられたタグは、会話時間帯３を特定している。在宅医療動画７０の「００：１１：４７」の時間の場面に付けられたタグは、会話時間帯４を特定している。会話時間帯１のうち、会話が開始された時間の場面にタグが付けられている。会話時間帯２〜４についても同様である。
【０１１４】
図５および図１１を参照して、タグ付け処理部３２３は、これらのタグが付けられた場面の時間、および、これらのタグに対応するタグ情報を、タグ情報表示領域５６に表示する。「００：０１：１２」の時間の場面に付けられたタグを例にして説明する。タグ付け処理部３２３は、「００：０１：１２」を時間フィールド５６１に表示する（不図示）。タグ付け処理部３２３は、図７に示すテーブルを参照して、時間フィールド５６１に表示された「００：０１：１２」の隣りに、「Ｓ」、「関節痛」を表示する（不図示）。
【０１１５】
事象判定部３２６およびタグ付け処理部３２３は、姿勢に関してタグを付ける処理をする（図１０のＳ６）。以下、詳しく説明する。事象判定部３２６は、画像認識機能を有しており、この機能を用いて、在宅医療動画７０（図１２）の動画データ７１を解析し、動画データ７１に写されたサービス提供者ＮＳ−１の姿勢の中から、図９に示すテーブルに含まれる姿勢を検出する。事象判定部３２６は、例えば、パターンマッチングを用いて、この検出をする。聴診の姿勢を例にすると、事象判定部３２６は、サービス提供者ＮＳ−１の聴診の姿勢を示すテンプレートを予め記憶し、このテンプレートを用いて、動画データ７１において、サービス提供者ＮＳ−１の聴診の姿勢が写された場面を検出する。
【０１１６】
事象判定部３２６は、動画データ７１に写されたサービス提供者ＮＳ−１の姿勢の中から、図９に示すテーブルに含まれる姿勢を検出したとき、予め定められた事象が発生していると判定する。タグ付け処理部３２３は、在宅医療動画７０において、この事象が写された場面を特定するタグを付ける。ここでは、聴診の姿勢が検出されたとする。
【０１１７】
図１６は、図１２に示す在宅医療動画７０に、姿勢に関するタグ、上述した測定装置ＭＤに関するタグ、および、上述したフレーズに関するタグが付けられた状態を示す模式図である。在宅医療動画７０の「００：０８：０３」の時間の場面に付けられたタグは、サービス提供者ＮＳ−１の聴診の姿勢をしている場面を示している。この姿勢が検出されている時間帯のうち、最初に、この姿勢が検出された時間の場面にタグが付けられている。
【０１１８】
図５および図１１を参照して、タグ付け処理部３２３は、このタグが付けられた場面の時間、および、このタグに対応するタグ情報を、タグ情報表示領域５６に表示する。詳しく説明すると、タグ付け処理部３２３は、「００：０８：０３」を時間フィールド５６１に表示する（不図示）。タグ付け処理部３２３は、図９に示すテーブルを参照して、時間フィールド５６１に表示された「００：０８：０３」の隣りに、「Ｏ」、「聴診」を表示する（不図示）。
【０１１９】
以上により、在宅医療動画７０へのタグ付けが終了する。図１７は、在宅医療動画７０へのタグ付け終了後のタグ付け画面ＴＰの一例を示す模式図である。タグ付け処理部３２３は、在宅医療動画７０において、タグ付けされた場面の時間を、時間フィールド５６１に表示し、この場面で発生した事象のＳＯＡＰ分類を、ＳＯＡＰ分類フィールド５６２に表示し、この事象を示す文字情報を、文字情報フィールド５６３に表示する。
【０１２０】
なお、事象判定部３２６は、音声認識をすることにより、測定装置ＭＤの測定結果を示す会話時間帯のテキストがあると判定した場合、タグ付け処理部３２３は、文字情報フィールド５６３に示された測定装置ＭＤに関する文字情報として、測定結果を追加してもよい。例えば、事象判定部３２６は、音声認識をすることにより、「体温は３８度」のフレーズを含む会話時間帯のテキストがあると判定した場合、タグ付け処理部３２３は、文字情報フィールド５６３に示された「体温測定」の隣に、「３８度」を追加する（体温測定：３８度）。
【０１２１】
図５および図１７を参照して、ユーザは、タグ情報表示領域５６の表示内容を確認し、表示内容に問題がないと判断したとき、ＭＣ入力部３３を操作して、「確定」ボタン５７をクリックする。「確定」ボタン５７がクリックされたとき、タグ付け処理部３２３は、在宅医療動画７０のファイルネームからタグファイルのファイルネームを生成し、タグ付け画面ＴＰのタグ情報表示領域５６に表示されている時間、ＳＯＡＰ分類、文字情報に基づいて、図１８に示すタグファイルＴＧを生成し、タグファイルＴＧおよびタグファイルＴＧのファイルネームをＭＣタグファイル記憶部３６２に記憶する（図１０のＳ７）。
【０１２２】
図１８は、タグファイルＴＧの一例を説明する説明図である。タグファイルＴＧのファイルネームは、「ＳＵ１_００１１_２０１７０１２４」である。タグファイルＴＧは、タグ情報表示領域５６が有するフィールドと対応するフィールドを備える。すなわち、タグファイルＴＧは、時間フィールド４１と、ＳＯＡＰ分類フィールド４２と、文字情報フィールド４３と、を備える。時間フィールド４１には、時間フィールド５６１の内容が登録される。ＳＯＡＰ分類フィールド４２には、ＳＯＡＰ分類フィールド５６２の内容が登録される。文字情報フィールド４３には、文字情報フィールド５６３の内容が登録される。時間フィールド４１に登録されている時間がタグとして機能する。
【０１２３】
タグ付け処理部３２３は、処理Ｓ７で生成したタグファイルＴＧおよびそのファイルネームを収容する通信信号（タグ情報通知通信信号）を生成し、この生成したタグ情報通知通信信号を、ＭＣ通信ＩＦ部３１を用いてサーバ装置ＳＶへ送信し（図１０のＳ８）、本処理を終了する。これによってタグ情報通知通信信号が医療介護事務支援装置ＭＣからネットワークＮＷを介してサーバ装置ＳＶへ送信される。
【０１２４】
図４を参照して、サーバ装置ＳＶがタグ情報通知通信信号を受信すると、ＳＶ動画処理部２２２は、この受信したタグ情報通知通信信号に収容されたタグファイルＴＧおよびそのファイルネームを取り出し、この取り出したタグファイルＴＧをそのファイルネームと合わせてＳＶタグファイル記憶部２３２に記憶する。
【０１２５】
以上が、タグ付けに関する、医療介護事務支援システムＭＣＳの動作である。
【０１２６】
ユーザが、レセプト等を作成するために、医療介護事務支援装置ＭＣを用いて、在宅医療動画７０を見る場合について簡単に説明する。図５を参照して、ユーザは、ＭＣ入力部３３を操作して、在宅医療動画７０を要求する第１通信信号を、ＭＣ通信ＩＦ部３１を用いて、サーバ装置ＳＶへ送信する。図４を参照して、サーバ装置ＳＶが、第１通信信号を受信すると、ＳＶ動画処理部２２２は、ＳＶ動画情報記憶部２３１に記憶されている在宅医療動画７０、および、ＳＶタグファイル記憶部２３２に記憶されているタグファイルＴＧを読み出して、これらを収容した第２通信信号を生成し、ＳＶ通信ＩＦ部２１を用いて、医療介護事務支援装置ＭＣへ送信する。
【０１２７】
図５を参照して、医療介護事務支援装置ＭＣが、第２通信信号を受信すると、ＭＣ動画処理部３２２は、在宅医療動画７０をＭＣ動画情報記憶部３６１に記憶し、タグファイルＴＧをＭＣタグファイル記憶部３６２に記憶する。再生制御部３２４は、ＭＣ動画情報記憶部３６１に記憶されている在宅医療動画７０、および、ＭＣタグファイル記憶部３６２に記憶されているタグファイルＴＧを読み出して、ＭＣ表示部３４において、在宅医療動画７０を再生する。同時に、再生制御部３２４は、図１７に示すタグ情報表示領域５６に表示されている内容を示す表示情報を、ＭＣ表示部３４を表示する。これにより。ユーザは、在宅医療動画７０において、タグが付けされた場面の内容を、その動画を見ることなく把握できる。再生制御部３２４は、ユーザがＭＣ入力部３３を操作して、表示情報の中から、タグが付けられた場面（例えば、図１８に示す「００：１１：４７」）を指定する命令をした場合、再生制御部３２４は、タグファイルＴＧを基にして、在宅医療動画７０において、「００：１１：４７」の時間の場面を検索して、再生する。
【０１２８】
実施形態の主な効果を説明する。タグ付け処理部３２３は、サービス受益者Ｏｂがサービス提供者ＮＳから医療介護サービスを受けている時に発生した事象が、予め定められた事象の場合、在宅医療動画において、その事象が写された場面を特定するタグを付ける。よって、ユーザは、タグ付けされた在宅医療動画を見ながらレセプトを作成するときに、その動画において、レセプトの作成に必要となる場面に効率的にアクセスすることができる。このようなタグ付けは、ユーザが在宅医療動画を見ながら、ユーザの判断で実行することもできるが、手間がかかる。実施形態における医療介護事務支援装置ＭＣ（動画処理装置）によれば、タグ付けを自動的に実行できるので、ユーザの手間を省くことができる。
【０１２９】
また、実施形態における医療介護事務支援装置ＭＣは、測定ファイルＭＦ（図３）に含まれる時間情報を基にして、測定装置ＭＤが使用が写された場面に自動的にタグを付けている。この場面は、在宅医療動画の画像解析によって特定することが可能である。しかし、上記時間情報を用いるほうが、より、簡単かつ確実に、その時間帯の箇所を特定することができる。
【０１３０】
なお、タグ付けは、自動的に実行されるので、センサ装置ＳＵ、サーバ装置ＳＶでもタグ付けが可能である。この場合、図４に示すサーバ装置ＳＶは、タグ付け処理部３２３と、事象判定部３２６と、測定装置テーブル記憶部３６５と、Ｏｂフレーズテーブル記憶部３６６と、ＮＳフレーズテーブル記憶部３６７と、姿勢テーブル記憶部３６８と、を備える動画処理装置を備える。図２に示すセンサ装置ＳＵも同様である。
【０１３１】
実施形態では、医療介護サービスとして、在宅医療サービスを例に説明したが、訪問看護サービス、訪問介護サービスにも実施形態を適用できる。これらのサービスも、在宅医療サービスと同様に、病院外、介護施設外で実施されるので、レセプト等に記載すべき事項について、サービス提供者ＮＳが誤記入、記入漏れすることがよくあるからである。実施形態は、在宅医療サービス、訪問看護サービス、および、訪問介護サービスに限らず、病院内、介護施設内で実施される医療介護サービスにも適用することができる。
【符号の説明】
【０１３２】
ＭＣ  医療介護事務支援装置
ＭＣＳ  医療介護事務支援システム
ＭＤ  測定装置
ＭＦ  測定ファイル
ＮＳ  サービス提供者
Ｏｂ  サービス受益者
ＴＰ  タグ付け画面
４１  時間フィール
４２  ＳＯＡＰ分類フィールド
４３  文字情報フィールド
５６  タグ情報表示領域
５６１  時間フィールド
５６２  ＳＯＡＰ分類フィールド
５６３  文字情報フィールド
７０  在宅医療動画
７１  動画データ
７２  音声データ
【図１】
2018185729.tif 000003
【図２】
2018185729.tif 000004
【図３】
2018185729.tif 000005
【図４】
2018185729.tif 000006
【図５】
2018185729.tif 000007
【図６】
2018185729.tif 000008
【図７】
2018185729.tif 000009
【図８】
2018185729.tif 000010
【図９】
2018185729.tif 000011
【図１０】
2018185729.tif 000012
【図１１】
2018185729.tif 000013
【図１２】
2018185729.tif 000014
【図１３】
2018185729.tif 000015
【図１４】
2018185729.tif 000016
【図１５】
2018185729.tif 000017
【図１６】
2018185729.tif 000018
【図１７】
2018185729.tif 000019
【図１８】
2018185729.tif 000020